(57)【要約】【課題】製品本体及びその付属品の梱包容器を平面的にも立体的にも小さくして製品の輸送コストを削減する。【解決手段】携帯端末１（製品本体）を収容した第２ブリスター１２で、充電器３及び充電器用脚部４（付属品）が収容された第１ブリスター１１を上方から覆い、その上方から第３ブリスター１３で覆って携帯端末１及びその付属品を上下に積み重ねるように梱包する。【選択図】図１
2010083523.tif 000002
【特許請求の範囲】
【請求項１】
製品本体及びその付属品を梱包する梱包容器であって、
上記付属品を収容する第１収容凹部を有する第１ブリスターと、
上記製品本体を収容する第２収容凹部を有すると共に、上記第１ブリスターを上方から覆う第２ブリスターと、
上記第２ブリスターを上方から覆う第３ブリスターと、
を有することを特徴とする製品本体及びその付属品の梱包容器。
【請求項２】
請求項１記載の製品本体及びその付属品の梱包容器において、
側面から見たときに、上記第１ブリスターに収容された上記付属品の最も高い位置よりも、上記第２ブリスターに収容された上記製品本体の最も低い位置のほうが低い位置にある
ことを特徴とする製品本体及びその付属品の梱包容器。
【請求項３】
請求項１又は２に記載の製品本体及びその付属品の梱包容器において、
上記第２ブリスターには、上記製品本体を取り出すための取出用凹部が形成され、該取出用凹部は、上記第２収容凹部に交わるように配置されると共に、該第２収容凹部の底面よりも低い底面を有し、梱包時に該取出用凹部の底面が上記付属品の上面と接するように構成されている
ことを特徴とする製品本体及びその付属品の梱包容器。
【請求項４】
請求項１乃至３のいずれか１つに記載の製品本体及びその付属品の梱包容器において、
上記第１乃至第３ブリスターの側面の抜き勾配は、第１ブリスターから第３ブリスターの順に小さく形成されている
ことを特徴とする製品本体及びその付属品の梱包容器。
【請求項５】
請求項１乃至４のいずれか１つに記載の製品本体及びその付属品の梱包容器において、
上記第１乃至第３ブリスターは、それぞれ周縁が平坦に拡がり、該第１乃至第３ブリスターを積み重ねると、各周縁が重なり合うように構成されている
ことを特徴とする製品本体及びその付属品の梱包容器。
【請求項６】
請求項１乃至５のいずれか１つに記載の製品本体及びその付属品の梱包容器において、
上記第１乃至第３ブリスターは、透明材料又は半透明材料で構成されている
ことを特徴とする製品本体及びその付属品の梱包容器。
【請求項７】
請求項１乃至６のいずれか１つに記載の製品本体及びその付属品の梱包容器において、
上記第１乃至第３ブリスターが積み重ねられた状態で挿入される直方体の個装ケースを備えている
ことを特徴とする製品本体及びその付属品の梱包容器。
【請求項８】
請求項１乃至７のいずれか１つに記載の製品本体及びその付属品の梱包容器において、
上記第２ブリスターには、上記第２収容凹部の長手方向に沿って一対の下側凹条が該第２収容凹部を挟み込むように形成され、
上記第３ブリスターには、上記一対の下側凹条に対応するように、一対の上側凹条が形成されている
ことを特徴とする製品本体及びその付属品の梱包容器。
【請求項９】
請求項１乃至８のいずれか１つに記載の製品本体及びその付属品の梱包容器において、
上記製品本体は、携帯端末であり、
上記第１収容凹部に収容される付属品は、上記携帯端末を保持する端末本体保持部を有する充電器である
ことを特徴とする製品本体及びその付属品の梱包容器。
【請求項１０】
請求項９に記載の製品本体及びその付属品の梱包容器において、
上記第２ブリスターにおける第２収容凹部の長手方向外側端部の少なくとも一方には、下方に向かって長手方向外側に傾斜する第１傾斜面を有する第１板状付属品収容部が形成され、
上記第３ブリスターにおける上記第１板状付属品収容部に対応する部分には、上記第１傾斜面と平行な第２傾斜面を有する第２板状付属品収容部が形成され、
上記第１傾斜面と第２傾斜面との間に板状の付属品が収容されるように構成されている
ことを特徴とする製品本体及びその付属品の梱包容器。
【請求項１１】
請求項１０に記載の製品本体及びその付属品の梱包容器において、
上記第１板状付属品収容部及び第２板状付属品収容部は、二組形成され、
一方には、携帯端末の電池パックが、他方には、該電池パックを覆う電池カバーがそれぞれ収容されるように構成されている
ことを特徴とする製品本体及びその付属品の梱包容器。
【発明の詳細な説明】
【技術分野】
【０００１】
本発明は、携帯端末、生活用品、おもちゃ、筆記具、釣具等の製品本体及びその付属品の梱包容器に関する。
【背景技術】
【０００２】
従来より、携帯端末は、その付属品と共に段ボール製のトレイに梱包され、これを個装ケースに入れられた状態で販売店やユーザーのもとに届けられる。このため、梱包容器のサイズは小さいほど輸送コストは安くて済む。また、この個装ケースを製品購入後も大事に保管するユーザーが増えてきており、個装ケースは携帯端末とその付属品を梱包するだけではなく、保存用容器としても使用される。このため、コンパクトで外観がよいことも求められてきている。
【０００３】
また、生活用品、おもちゃ、筆記具、釣具等は、商品の名称や特徴を印刷した紙製の台紙と、商品の形状を形どったＰＥＴ（ポリエチレン‐テレフタラート）製のブリスターに挟まれて梱包され、開梱しなくとも商品の形、色が見えるようになっている。
【０００４】
例えば特許文献１のように、商品を包装したままの状態で店頭での展示を可能にする台紙付き包装が知られている。この包装では、開口部に軟質のフイルム状部材を封着することで、密封状態のままでもフイルム状部材の可撓性を利用して商品の操作ができ、購買者に開封することなく商品説明を行えるようにしている。
【０００５】
また、特許文献２のブリスター包装容器では、内包物の外形状に沿って成形されたバリヤー性を有し、且つ光透過性を有する熱可塑性樹脂からなるブリスター部材と、紙基材上に、ブリスター部材との接着層となるバリヤー性を有し、且つ光透過性を有する熱可塑性樹脂層を設けた台紙とが、内包物がブリスター部材の収容部に収容された状態で、ブリスター部材のつば部でのみ連続的に接着されている。
【特許文献１】実開平１−５８４６０号公報
【特許文献２】特開２０００−１１８５５９号公報
【発明の開示】
【発明が解決しようとする課題】
【０００６】
しかしながら、従来の製品本体及びその付属品の梱包容器では、特許文献１及び２のように、商品や内容物を平面状に拡げた互いに重ならない状態で、紙製の台紙とブリスターで挟み込んでいるので、梱包容器のサイズ（特に平面的なサイズ）が大きくなるという問題がある。
【０００７】
本発明は、かかる点に鑑みてなされたものであり、その目的とするところは、製品本体及びその付属品の梱包容器を平面的にも立体的にも小さくして製品の輸送コストを削減することにある。
【課題を解決するための手段】
【０００８】
上記の目的を達成するために、この発明では、３つのブリスターを重ねるようにした。
【０００９】
具体的には、第１の発明では、製品本体及びその付属品を梱包する梱包容器を対象とする。
【００１０】
そして、上記梱包容器は、
上記付属品を収容する第１収容凹部を有する第１ブリスターと、
上記製品本体を収容する第２収容凹部を有すると共に、上記第１ブリスターを上方から覆う第２ブリスターと、
上記第２ブリスターを上方から覆う第３ブリスターと、
を有する構成とする。
【００１１】
上記の構成によると、第２収容凹部に製品本体を収容した第２ブリスターで、第１収容凹部に付属品が収容された第１ブリスターを上方から覆い、その第２ブリスターを上方から第３ブリスターで覆っているので、各ブリスター同士で側面視で重なり合う部分を設けることも容易となり、製品本体及びその付属品を上下に積み重ねるように配置してコンパクトに梱包することができる。またブリスターは通常樹脂成型品よりなるので、成形が容易で軽量である。このため、輸送コストが削減可能な梱包容器が得られる。
【００１２】
第２の発明では、第１の発明において、
側面から見たときに、上記第１ブリスターに収容された上記付属品の最も高い位置よりも、上記第２ブリスターに収容された上記製品本体の最も低い位置のほうが低い位置にある。
【００１３】
上記の構成によると、付属品の低い部分まで製品本体を下側に配置して付属品と製品本体とを側面視で重なり合うように収容することができるので、厚さを減らすために平面視で付属品と製品本体とを完全にずらす必要がなく、梱包容器が平面的にも立体的にもコンパクトになる。
【００１４】
第３の発明では、第１又は第２の発明において、
上記第２ブリスターには、上記製品本体を取り出すための取出用凹部が形成され、該取出用凹部は、上記第２収容凹部に交わるように配置されると共に、該第２収容凹部の底面よりも低い底面を有し、梱包時に該取出用凹部の底面が上記付属品の上面と接するように構成されている。
【００１５】
上記の構成によると、取出用凹部の底面が付属品の上面と接することにより、搬送時の付属品のがたつきが抑えられる。
【００１６】
第４の発明では、第１乃至第３のいずれか１つの発明において、
上記第１乃至第３ブリスターの側面の抜き勾配は、第１ブリスターから第３ブリスターの順に小さく形成されている。
【００１７】
上記の構成によると、各ブリスターを重ね合わせやすく、また、取り外しやすい。
【００１８】
第５の発明では、第１乃至第４のいずれか１つの発明において、
上記第１乃至第３ブリスターは、それぞれ周縁が平坦に拡がり、該第１乃至第３ブリスターを積み重ねると、各周縁が重なり合うように構成されている。
【００１９】
上記の構成によると、周縁をフランジ状に形成することで各ブリスターの強度が確保されると共に、積み重ねたときに各ブリスターがずれにくくなる。
【００２０】
第６の発明では、第１乃至第５のいずれか１つの発明において、
上記第１乃至第３ブリスターは、透明材料又は半透明材料で構成されている。
【００２１】
上記の構成によると、製品の梱包時に開梱しなくとも梱包忘れがないか、また、色の混同がないかを容易に判別することができる。
【００２２】
第７の発明では、第１乃至第６のいずれか１つの発明において、
上記第１乃至第３ブリスターが積み重ねられた状態で挿入される直方体の個装ケースを備えている。
【００２３】
上記の構成によると、製品本体及びその付属品を収容した第１乃至第３ブリスターを個装ケースに挿入することで、個装ケース内で梱包品ががたつかず、また、外観がよくなる。
【００２４】
第８の発明では、第１乃至第７のいずれか１つの発明において、
上記第２ブリスターには、上記第２収容凹部の長手方向に沿って一対の下側凹条が該第２収容凹部を挟み込むように形成され、
上記第３ブリスターには、上記一対の下側凹条に対応するように、一対の上側凹条が形成されている。
【００２５】
上記の構成によると、第２及び第３ブリスターに長手方向に延びる凹条をそれぞれ形成しているので、天面の歪みが防止される。また、下側凹条に上側凹条を嵌め込むことで、第３ブリスターが第２ブリスターに対してずれにくくなる。
【００２６】
第９の発明では、第１乃至第８のいずれか１つの発明において、
上記製品本体は、携帯端末であり、
上記第１収容凹部に収容される付属品は、上記携帯端末を保持する端末本体保持部を有する充電器である。
【００２７】
上記の構成によると、充電器の端末本体保持部を利用してその部分に第２収容凹部に収容された携帯端末が嵌り込むように上下に携帯端末と充電器とを重ね合わせることができるので、梱包サイズが小さくなる。
【００２８】
第１０の発明では、第９の発明において、
上記第２ブリスターにおける第２収容凹部の長手方向外側端部の少なくとも一方には、下方に向かって長手方向外側に傾斜する第１傾斜面を有する第１板状付属品収容部が形成され、
上記第３ブリスターにおける上記第１板状付属品収容部に対応する部分には、上記第１傾斜面と平行な第２傾斜面を有する第２板状付属品収容部が形成され、
上記第１傾斜面と第２傾斜面との間に板状の付属品が収容されるように構成されている。
【００２９】
上記の構成によると、スペースを有効に利用して板状の付属品と携帯端末と充電器とが収容される。
【００３０】
第１１の発明では、第１０の発明において、
上記第１板状付属品収容部及び第２板状付属品収容部は、二組形成され、
一方には、携帯端末の電池パックが、他方には、該電池パックを覆う電池カバーがそれぞれ収容されるように構成されている。
【００３１】
すなわち、安全性と組付性の観点から、搬送時に電池パック及び電池カバーは携帯端末と別々に梱包する必要があるが、上記の構成によると、携帯端末と充電器と電池パックと電池カバーとがスペースを有効に利用してコンパクトに梱包される。
【発明の効果】
【００３２】
以上説明したように、本発明によれば、製品本体を収容した第２ブリスターで、付属品が収容された第１ブリスターを上方から覆い、その上方から第３ブリスターで覆って製品本体及びその付属品を上下に積み重ねるように梱包するようにしたことにより、製品本体及びその付属品の梱包容器を平面的にも立体的にも小さくして製品の輸送コストを削減することができる。
【発明を実施するための最良の形態】
【００３３】
以下、本発明の実施形態を図面に基づいて説明する。
【００３４】
図１は本発明の実施形態の梱包容器１０が製品本体としての携帯端末１及びその付属品である充電器３、充電器用脚部４、電池パック５及び電池カバー６を梱包する様子を示す。
【００３５】
図２〜図４に携帯端末１とその付属品が梱包容器１０に収容された状態を示す。図５及び図６にそのときの断面を示す。
【００３６】
梱包容器１０は、下から順に積み重ねる第１ブリスター１１、第２ブリスター１２及び第３ブリスター１３を備えている。図７〜図１４に示すように、第１乃至第３ブリスター１１，１２，１３は、いずれも平面視矩形状のもので、透明又は半透明のＰＥＴ（ポリエチレン‐テレフタラート）等の樹脂を真空成形したものよりなる。このため、第１乃至第３ブリスター１１，１２，１３の形状は、複雑なものでも成形しやすくなっている。第１乃至第３ブリスター１１，１２，１３は、それぞれ周縁１１ａ，１２ａ，１３ａが平坦に拡がり、第１乃至第３ブリスター１１，１２，１３を積み重ねると、各周縁１１ａ，１２ａ，１３ａが重なり合うように構成されている。各周縁１１ａ，１２ａ，１３ａをフランジ状に形成することで各ブリスター１１，１２，１３の強度が確保されている。また、第１乃至第３ブリスター１１，１２，１３の側面の抜き勾配は、第１ブリスター１１、第２ブリスター１２、第３ブリスター１３の順に小さくなっている。
【００３７】
第１ブリスター１１には、付属品のうち最も大きな充電器３を収容する第１収容凹部１１ｂが形成されている。図１に示すように、充電器３は、長手方向の一方側が膨出した膨出部３ａを有し、この膨出部３ａで囲まれた部分と平坦な面とで携帯端末１を保持する端末本体保持部３ｂが形成されている。充電器３の裏側には、その支えとなる台形板状の充電器用脚部４が脱着可能に構成されている。充電器用脚部４は、基端側に充電器３に差し込む差込部４ａを有している。第１収容凹部１１ｂの凹凸は、充電器３の底面に沿って成型されている。第１収容凹部１１ｂの長手方向一方側には、第１収容凹部１１ｂよりも浅い凹みよりなる延長凹部１１ｃが連続して形成されている。延長凹部１１ｃは、充電器３の端末本体保持部３ｂに先端部分が重ねられた充電器用脚部４を収容するようになっている。
【００３８】
第２ブリスター１２には、携帯端末１を収容する平面視矩形状の第２収容凹部１２ｂが凹陥されている。第２ブリスター１２は、第１ブリスター１１を上方からすっぽりと覆うように凹凸が第１ブリスター１１の膨出した部分よりも若干大きくなっている。第２ブリスター１２には、携帯端末１を取り出すための取出用凹部１２ｃが形成されている。この取出用凹部１２ｃは、第２収容凹部１２ｂに垂直に交わるように第２ブリスター１２の幅方向に延び、第２収容凹部１２ｂの底面１２ｄよりも低い底面１２ｅを有している。取出用凹部１２ｃの底面１２ｅは、第１ブリスター１１と第２ブリスター１２とを積み重ねたときに、充電器３の上面（端末本体保持部３ｂ）と接するように構成されている。また、第２ブリスター１２には、第２収容凹部１２ｂの長手方向に沿って一対の下側凹条１２ｆが第２収容凹部１２ｂを挟み込むように形成されている。下側凹条１２ｆは、取出用凹部１２ｃにより、中間部分がとぎれているが、この下側凹条１２ｆを設けることにより、天面の歪みが防止されている。第２ブリスター１２における第２収容凹部１２ｂの長手方向両外側端部には、下方に向かって長手方向外側に傾斜する第１傾斜面１２ｇを有する第１板状付属品収容部１２ｈが形成されている。
【００３９】
第３ブリスター１３は、第２ブリスター１２を上方から覆うように凹凸が第２ブリスター１２の膨出部分よりも若干大きくなっている。この第３ブリスター１３における第１板状付属品収容部１２ｈに対応する部分には、第１傾斜面１２ｇと平行な第２傾斜面１３ｂを有する第２板状付属品収容部１３ｃが形成されている。これら第１傾斜面１２ｇと第２傾斜面１３ｂとの間の隙間に板状の付属品である電池パック５と電池カバー６とが傾斜された状態でそれぞれ収容されるように構成されている。安全性と組付性の観点から、搬送時に電池パック５及び電池カバー６は携帯端末と別々に梱包する必要があるからである。また、第３ブリスター１３には、第２ブリスター１２の下側凹条１２ｆに対応するように、一対の上側凹条１３ｄが形成されている。この上側凹条１３ｄを設けることにより、天面の歪みが防止されている。
【００４０】
各ブリスター１１，１２，１３は、それぞれ異なる位置に密着防止用の凹凸（密着防止部１４）を形成する２種類の金型で成型される。このことで、ブリスター１１，１２，１３の製造業者が同一のブリスター１１，１２，１３を積み重ねるときに、異なる位置の密着防止部１４を有するブリスター１１，１２，１３を交互に積み重ねることで、適度な隙間を設け、各ブリスター１１，１２，１３が密着して分離しにくくなるのを防いでいる。
【００４１】
図１６に示すように、梱包容器１０は、第１乃至第３ブリスター１１，１２，１３が積み重ねられた状態で挿入される直方体の個装ケース１５を備えている。個装ケース１５は、例えば、紙製のもので、第１乃至第３ブリスター１１，１２，１３が挿入される第１ケース１５ａと、図示しない取扱説明書が挿入される第２ケース１５ｂとが、これら第１ケース１５ａ及び第２ケース１５ｂの厚さの和と同じ幅のヒンジ１５ｃで連結されている。第１ケース１５ａには、第２収容凹部１２ｂに合わせて矩形状の覗き窓１５ｄが形成されている。この覗き窓１５ｄから第２収容凹部１２ｂに収納された携帯端末１を覗くことができるようになっている。図１７に示すように、個装ケース１５は、第１ケース１５ａと第２ケース１５ｂとが開かないように、外側から角筒状の外装ケース１６に包み込まれるようになっている。
【００４２】
−携帯端末及びその付属品の梱包方法−
次に、本実施形態にかかる携帯端末１及びその付属品の梱包方法について説明する。
【００４３】
図１に示すように、まず、第１ブリスター１１の第１収容凹部１１ｂに充電器３を収容する。
【００４４】
次いで、第１収容凹部１１ｂに収容した充電器３の端末本体保持部３ｂに先端部分が重なるように充電器用脚部４を延長凹部１１ｃに収容する。
【００４５】
次いで、第２ブリスター１２を第１ブリスター１１の上方から被せる。すると、取出用凹部１２ｃの底面１２ｅが充電器３の上面（端末本体保持部３ｂ）と接しているので、搬送時の充電器３のがたつきが抑えられる。
【００４６】
次いで、第２収容凹部１２ｂに携帯端末１を収容し、対応する第１板状付属品収容部１２ｈにそれぞれ電池パック５又は電池カバー６を第１傾斜面１２ｇに当接させるように収容する。このとき、充電器３の端末本体保持部３ｂを利用してその部分に第２収容凹部１２ｂに収容された携帯端末１の下面側が嵌り込むように上下に携帯端末１と充電器３とを重ね合わせることができる。
【００４７】
次いで、第２ブリスター１２の上方から第３ブリスターを重ねる。すると、第１乃至第３ブリスター１１，１２，１３は、透明材料又は半透明のＰＥＴで構成されているので、製品の梱包時に開梱しなくとも梱包忘れがないか、また、色の混同がないかを容易に判別することができる。また、周縁１１ａ，１２ａ，１３ａをフランジ状に形成しているので、積み重ねたときに各ブリスター１１，１２，１３がずれにくい。また、第１乃至第３ブリスター１１，１２，１３の側面の抜き勾配を第１ブリスター１１から第３ブリスター１３の順に小さく形成したので、各ブリスター１１，１２，１３を重ね合わせやすく、また、取り外しやすい。また、下側凹条１２ｆに上側凹条１３ｄを嵌め込むことで、第３ブリスター１３が第２ブリスター１２に対してずれにくくなる。
【００４８】
次いで、図１６に示すように、第１乃至第３ブリスター１１，１２，１３を第１ケース１５ａに挿入し、取扱説明書を第２ケース１５ｂに挿入し、ヒンジ１５ｃを中心に折り畳む。携帯端末１及びその付属品を収容した第１乃至第３ブリスター１１，１２，１３を個装ケース１５に挿入することで、個装ケース１５内で梱包品ががたつかず、また、外観がよくなる。
【００４９】
最後に、図６に示すように、個装ケース１５を外装ケース１６で覆う。
【００５０】
逆に開梱時には、上記と逆の動作が行われる。第３ブリスター１３を外して第２ブリスター１２から携帯端末１と電池パック５と電池カバー６とを取り出し、携帯端末１に電池パック５を装着した上で電池カバー６を取り付ける。このとき、電池カバー６も携帯端末１と別に梱包されているので、いったん電池カバー６を取り外した上で電池カバー６を装着する手間が省ける。このことは、特に電池パック５が装着されていない状態で電池カバー６を取り外しにくい構造のものでは特に手間が省ける。
【００５１】
このように、第２収容凹部１２ｂに携帯端末１を収容した第２ブリスター１２で、第１収容凹部１１ｂに充電器３及び充電器用脚部４が収容された第１ブリスター１１を上方から覆い、その第２ブリスター１２を上方から第３ブリスター１３で覆っているので、各ブリスター１１，１２，１３同士で側面視重なり合う部分を設けることも容易となり、携帯端末１及びその付属品を上下に積み重ねるように配置してコンパクトに梱包することができる。またブリスター１１，１２，１３は成形が容易で軽量である。このため、見映えがよく、輸送コストが削減可能な梱包容器１０が得られる。
【００５２】
また、図３にハッチングで示すように、側面から見たときに、第１ブリスター１１に収容された充電器３の最も高い位置（膨出部３ａの上面）よりも、第２ブリスター１２に収容された携帯端末１の最も低い位置のほうが低い位置にある。このため、充電器３の低い部分まで携帯端末１を下側に配置して充電器３と携帯端末１とを側面視で重なり合うように収容することができるので、厚さを減らすために平面視で充電器３と携帯端末１とを完全にずらす必要がなく、梱包容器１０が平面的にも立体的にもコンパクトになる。
【００５３】
さらに、第１板状付属品収容部１２ｈに携帯端末１の電池パック５を、第２板状付属品収容部１３ｃに電池カバー６をそれぞれ収容したことにより、携帯端末１と充電器３と充電器用脚部４と電池パック５と電池カバー６とがスペースを有効に利用してコンパクトに梱包される。
【００５４】
−実施形態の効果−
したがって、本実施形態にかかる梱包容器１０によると、携帯端末１を収容した第２ブリスター１２で、充電器３及び充電器用脚部４が収容された第１ブリスター１１を上方から覆い、その上方から第３ブリスター１３で覆って携帯端末１及びその付属品を上下に積み重ねるように梱包するようにしたことにより、梱包容器１０を平面的にも立体的にも小さくして製品の輸送コストを削減することができる。
【００５５】
（その他の実施形態）
本発明は、上記実施形態について、以下のような構成としてもよい。
【００５６】
すなわち、上記実施形態では、製品本体は、携帯端末としたが、生活用品、おもちゃ、筆記具、釣具等でもよい。
【００５７】
上記実施形態では、個装ケース１５は、第１ケース１５ａ、第２ケース１５ｂ及びヒンジ１５ｃを有するものとしたが、第１ケース１５ａのみで構成してもよい。また、個装ケース１５は、紙で構成したが、ＰＥＴなどの合成樹脂で構成してもよい。
【００５８】
なお、以上の実施形態は、本質的に好ましい例示であって、本発明、その適用物や用途の範囲を制限することを意図するものではない。
【図面の簡単な説明】
【００５９】
【図１】携帯端末、その付属品及び梱包容器の分解斜視図である。
【図２】携帯端末及びその付属品を梱包した梱包容器の平面図である。
【図３】携帯端末及びその付属品を梱包した梱包容器の正面図である。
【図４】携帯端末及びその付属品を梱包した梱包容器の側面図である。
【図５】図２のＶ−Ｖ線断面図である。
【図６】図２のVI−VI線断面図である。
【図７】第１ブリスターを示し、（ａ）が平面図を、（ｂ）が正面図を、（ｃ）が側面図を示す。
【図８】図７（ａ）のVIII−VIII線断面図である。
【図９】図７（ａ）のIX−IX線断面図である。
【図１０】第２ブリスターを示し、（ａ）が平面図を、（ｂ）が正面図を、（ｃ）が側面図を示す。
【図１１】図１０（ａ）のXI−XI線断面図である。
【図１２】図１０（ａ）のXII−XII線断面図である。
【図１３】第３ブリスターを示し、（ａ）が平面図を、（ｂ）が正面図を、（ｃ）が側面図を示す。
【図１４】図１３（ａ）のXIV−XIV線断面図である。
【図１５】図１３（ａ）のXV−XV線断面図である。
【図１６】個装ケースにブリスターを挿入する様子を示す斜視図である。
【図１７】個装ケースを外装ケースで覆う様子を示す斜視図である。
【符号の説明】
【００６０】
１      携帯端末（製品本体）
３      充電器（付属品）
３ａ    膨出部
３ｂ    端末本体保持部
４      充電器用脚部（付属品）
５      電池パック（板状の付属品）
６      電池カバー（板状の付属品）
１０      梱包容器
１１      第１ブリスター
１１ａ，１２ａ，１３ａ      周縁
１１ｂ    第１収容凹部
１２      第２ブリスター
１２ｂ    第２収容凹部
１２ｃ    取出用凹部
１２ｄ    底面
１２ｅ    底面
１２ｆ    下側凹条
１２ｇ    第１傾斜面
１２ｈ    第１板状付属品収容部
１３      第３ブリスター
１３ｂ    第２傾斜面
１３ｃ    第２板状付属品収容部
１３ｄ    上側凹条
１５      個装ケース
【図１】
2010083523.tif 000003
【図２】
2010083523.tif 000004
【図３】
2010083523.tif 000005
【図４】
2010083523.tif 000006
【図５】
2010083523.tif 000007
【図６】
2010083523.tif 000008
【図７】
2010083523.tif 000009
【図８】
2010083523.tif 000010
【図９】
2010083523.tif 000011
【図１０】
2010083523.tif 000012
【図１１】
2010083523.tif 000013
【図１２】
2010083523.tif 000014
【図１３】
2010083523.tif 000015
【図１４】
2010083523.tif 000016
【図１５】
2010083523.tif 000017
【図１６】
2010083523.tif 000018
【図１７】
2010083523.tif 000019